(57)【要約】【課題】映像信号内に、局所的に大きさの異なるノイズが混入している場合であっても、当該映像信号に含まれている水平同期パルスを常に検出できる同期パルス検出回路を提供する。【解決手段】本発明による同期パルス検出回路は、定周期の更新タイミングパルスの内の１の更新タイミングパルスから次の更新タイミングパルスの到来までの間における映像信号の最小信号レベルを検出し、当該最小信号レベルに所定の同期検出レベルを加算して同期判定レベルを設定し、当該映像信号を所定の時間分だけ遅延させて遅延映像信号を生成し、当該遅延映像信号の信号レベルと当該設定された同期判定レベルとを比較して比較結果に応じて同期パルス現出と判定し、当該同期パルス現出の判定が当該更新タイミングパルスの所定数の周期に亘って連続してなされた場合にのみ当該同期パルス現出の判定時点に同期したパルス信号を同期パルスとして生成する。【選択図】図１
2008312019.tif 000002
【特許請求の範囲】
【請求項１】
映像信号に含まれる同期パルスを検出する同期パルス検出回路であって、
定周期の更新タイミングパルスの内の１つの更新タイミングパルスから次の更新タイミングパルスの到来までの間における前記映像信号の最小信号レベルを表す最小信号レベル信号を生成するレベル検出部と、
前記最小信号レベル信号によって表される最小信号レベルに所定の同期検出レベルを加算して同期判定レベルを設定する同期判定レベル生成部と、
前記映像信号を所定の遅延時間だけ遅延させて遅延映像信号を生成する映像信号遅延部と、
前記遅延映像信号の信号レベルと当該設定された同期判定レベルとを比較して比較結果に応じて同期パルス現出と判定するレベル判定部と、
前記同期パルス現出の判定が前記更新タイミングパルスの所定数の周期に亘って連続してなされた場合にのみ前記同期パルス現出の判定時点に同期したパルス信号を前記同期パルスとして生成する同期パルス生成部と、を含むことを特徴とする同期パルス検出回路。
【請求項２】
前記遅延時間は前記映像信号の１ライン幅の半分に相当する時間であることを特徴とする請求項１に記載の同期パルス検出回路。
【請求項３】
互いに周期の異なる少なくとも２つの更新タイミング信号の内の１を制御信号の入力に応じて選択して当該選択した更新タイミング信号を前記更新タイミングパルスとする更新タイミング切り替え部を更に含むことを特徴とする請求項１に記載の同期パルス検出回路。
【請求項４】
前記映像信号に混入しているノイズ量が所定量を超過したか否かを判定するノイズ判定部と、互いに周期の異なる少なくとも２つの更新タイミング信号の内の１を前記ノイズ判定部の判定結果に応じて選択して当該選択した更新タイミング信号を前記更新タイミングパルスとする更新タイミング切り替え部と、を更に含むことを特徴とする請求項１に記載の同期パルス検出回路。
【発明の詳細な説明】
【技術分野】
【０００１】
本発明は映像信号に含まれる同期パルスを検出する同期パルス検出回路に関する。
【背景技術】
【０００２】
一般に映像信号をデコード処理するデジタルビデオデコーダには同期パルス検出回路が内蔵されている。同期パルス検出回路は映像信号に含まれている水平同期パルスを検出して、検出した水平同期パルスに同期した水平同期信号を生成する。デジタルビデオデコーダに接続されている表示装置は、映像信号をデコード処理して得られた映像ラインを水平同期信号に基づいたタイミングにてディスプレイに描画する。
【０００３】
例えば特許文献１には、識別制御信号に含まれているＮＲＺ(Non-Return Zero)信号に基づいて水平同期位置パルスを検出する同期処理装置及びその処理方法が開示されている。ここでは、ＮＲＺ信号の振幅の５０％レベルを検出し、入力されたビデオ信号が当該５０％レベルと交わるポイントを検出して所望の水平同期位置パルスを得ている。
【特許文献１】特開平９−１０２８８８号公報
【発明の開示】
【発明が解決しようとする課題】
【０００４】
ところで、映像信号を搬送する電波の受信状況が良好でない場合、ノイズが混入した映像信号を受信することになる。映像信号に混入したノイズの影響により、同期パルス検出回路が映像信号に含まれている水平同期パルスを検出できなくなるという問題があった。通常、ノイズは映像信号全般に亘って一様に混入するのではなく、映像信号の位置によって混入するノイズの量が異なる。特に局所的に大きなノイズが載っている映像信号に対してクランプ処理やフィルタによるノイズ除去処理を行うと、信号のレベルが不揃いになってしまい、これが水平同期パルスを検出できなくなる１つの原因となっていた。
【０００５】
本発明は上記した如き問題点に鑑みてなされたものであって、映像信号内に、局所的に大きさの異なるノイズが混入している場合であっても、当該映像信号に含まれている水平同期パルスを常に検出できる同期パルス検出回路を提供することを目的とする。
【課題を解決するための手段】
【０００６】
本発明による同期パルス検出回路は、映像信号に含まれる同期パルスを検出する同期パルス検出回路であって、定周期の更新タイミングパルスの内の１つの更新タイミングパルスから次の更新タイミングパルスの到来までの間における前記映像信号の最小信号レベルを表す最小信号レベル信号を生成するレベル検出部と、前記最小信号レベル信号によって表される最小信号レベルに所定の同期検出レベルを加算して同期判定レベルを設定する同期判定レベル生成部と、前記映像信号を所定の遅延時間だけ遅延させて遅延映像信号を生成する映像信号遅延部と、前記遅延映像信号の信号レベルと当該設定された同期判定レベルとを比較して比較結果に応じて同期パルス現出と判定するレベル判定部と、前記同期パルス現出の判定が前記更新タイミングパルスの所定数の周期に亘って連続してなされた場合にのみ前記同期パルス現出の判定時点に同期したパルス信号を前記同期パルスとして生成する同期パルス生成部と、を含むことを特徴とする。
【発明を実施するための最良の形態】
【０００７】
以下、本発明に係る実施例について添付の図面を参照しつつ詳細に説明する。
＜第１の実施例＞
図１は本発明による同期パルス検出回路４０をクランプ回路１０などと共に表すブロック図である。
【０００８】
クランプ回路１０は、受け取った映像信号ＳＰの最小信号レベルを揃える機能を有する。クランプ回路１０は最小信号レベルを揃えた映像信号をＡＤＣ部２０に与える。
【０００９】
ＡＤＣ（Analog-Digital Converter）部２０は、クランプ回路１０から受け取ったアナログ形式の映像信号をデジタル形式の映像信号に変換する機能を有する。ＡＤＣ部２０はデジタル形式に変換した映像信号をローパスフィルタ３０を介してレベル検出部４１及び映像信号遅延部４３に与える。
【００１０】
ローパスフィルタ３０は、映像信号に混入している高周波のノイズを除去することができる。
【００１１】
同期パルス検出回路４０は、レベル検出部４１と、同期判定レベル生成部４２と、映像信号遅延部４３と、レベル判定部４４とを含む。
【００１２】
レベル検出部４１は、ローパスフィルタ３０を介してＡＤＣ部２０から映像信号を受け取る。レベル検出部４１は、定周期の更新タイミングパルスの内の１の更新タイミングパルスから次の更新タイミングパルスの到来までの間における映像信号の最小信号レベルを検出して、当該最小信号レベルを表す最小信号レベル信号を生成する。レベル検出部４１は、生成した最小信号レベル信号を同期判定レベル生成部４２に与える。レベル検出部４１は、定周期の更新タイミングパルスを含む更新タイミング信号ＳＴを外部から受け取っている。
【００１３】
同期判定レベル生成部４２は、レベル検出部４１から受け取った最小信号レベル信号によって表される最小信号レベルに所定の同期検出レベルを加算して同期判定レベルを設定する。同期判定レベル生成部４２は、同期検出レベルを表す同期検出レベル信号ＳＤを外部から受け取っている。
【００１４】
映像信号遅延部４３は、ローパスフィルタ３０を介してＡＤＣ部２０から受け取った映像信号を所定の遅延時間だけ遅延させて遅延映像信号を生成する。ここでの遅延時間とは例えば、映像信号の１ライン幅の半分（０．５ライン幅）に相当する時間である。映像信号遅延部４３は、生成した遅延映像信号をレベル判定部４４に与える。
【００１５】
レベル判定部４４は、映像信号遅延部４３から受け取った遅延映像信号と同期判定レベル生成部４２が設定した同期判定レベルとを比較して、その比較結果に応じて同期パルス現出と判定する。具体的には、レベル判定部４４は、遅延映像信号が同期判定レベルを下回った場合に、映像信号内に同期パルスが現出したと判定する。
【００１６】
同期パルス生成部４５は、レベル判定部４４による同期パルス現出の判定が、更新タイミングパルスの所定数の周期に亘って連続してなされた場合にのみ、同期パルス現出の判定時点に同期した水平同期パルス信号ＳＳを生成、出力する。具体的には、遅延映像信号の信号レベルが同期判定レベルをＰｉｘｅｌクロック周期でＮ回連続して下回ったとレベル判定部４４が判別した場合に（ここでのＮは正整数）、同期パルス生成部４５が水平同期パルス信号ＳＳを生成、出力する。Ｐｉｘｅｌクロック周期は例えばＩＴＵ−Ｒ ＢＴ．６０１に規定される１３．５ＭＨｚなどである。Ｎ値には特に制限は無いが、映像信号に混入しているノイズがローパスフィルタ３０で除去できないケースがあることを考慮すると、Ｎ＝１０〜２０が妥当である。
【００１７】
図２は映像信号を表す図である。映像信号には１ライン幅ＷＬ毎にパルス幅ＷＰの１つの水平同期パルスＰＳが含まれている。水平同期パルスＰＳは、ペデスタルレベルＰＬよりも低いレベルに形成されている。レベル検出部４１は映像信号の最小信号レベルＭＬ（すなわち、水平同期パルスＰＳの最小信号レベルＭＬ）を検出し、同期判定レベル生成部４２は最小信号レベルＭＬに所定の同期検出レベルＤＬを加算して同期判定レベルＪＬを生成する。
【００１８】
以下に、図３〜６を参照しつつ、同期パルス検出回路４０の同期パルス検出処理について説明する。
【００１９】
図３は、定周期の更新タイミングパルスを含む更新タイミング信号ＳＴを表す図である。レベル検出部４１は、時刻Ｔ１に更新タイミングパルスＰ１を、時刻Ｔ２に更新タイミングパルスＰ２を、時刻Ｔ３に更新タイミングパルスＰ３を、それぞれ受け取る。
【００２０】
図４はノイズが混入した映像信号を表す図である。縦軸は映像信号の信号レベルを表している。横軸は時刻を表している。同図に示される如く映像信号に混入するノイズの量は、映像信号内の位置によって異なる。そのため、ノイズ量を加味したときの映像信号の信号レベル最小値も映像信号内の位置によって異なる。ノイズＮＳ１〜ＮＳ３の各々は、水平同期パルスの箇所に混入しているノイズである。ノイズＮＳ２はノイズＮＳ１よりも大きく、時刻Ｔ１から時刻Ｔ２までの期間における信号レベル最小値ＭＮ２は、時刻Ｔ１までの映像信号の信号レベル最小値ＭＮ１よりも差分ＤＮだけ小さくなっている。
【００２１】
図５はクランプ回路１０によるクランプ処理後の映像信号を表す図である。クランプ回路１０は図３に示される映像信号を受け取り、当該映像信号の信号レベル最小値ＭＮ１〜ＭＮ３を信号レベル最小値ＭＮ１に揃えて、図４に示される映像信号を出力する。ＡＤＣ部２０はクランプ回路１０から受け取ったアナログ形式の映像信号をデジタル形式の映像信号に変換する。続いてＡＤＣ部２０はデジタル形式に変換した映像信号をローパスフィルタ３０を介してレベル検出部４１及び映像信号遅延部４３に与える。
【００２２】
図６はローパスフィルタ通過後の映像信号を表す図である。同図に示される如く映像信号に混入していたノイズが除去されている。ノイズ除去後の映像信号の最小信号レベルＭＬ１、ＭＬ２及びＭＬ３は互いに異なっており、信号レベルが不揃いである。
【００２３】
レベル検出部４１は、ローパスフィルタ３０を介してＡＤＣ部２０から同図に示される映像信号を受け取る。レベル検出部４１は、図示せぬ直前の更新タイミングパルスから更新タイミングパルスＰ１の到来までの間における映像信号の最小信号レベルＭＬ１を検出する。レベル検出部４１は、最小信号レベルＭＬ１を表す最小信号レベル信号を生成して、これを同期判定レベル生成部４２へ与える。続いてレベル検出部４１は、更新タイミングパルスＰ１から更新タイミングパルスＰ２の到来までの間における映像信号の最小信号レベルＭＬ２を検出する。レベル検出部４１は、最小信号レベルＭＬ２を表す最小信号レベル信号を生成して、これを同期判定レベル生成部４２へ与える。続いてレベル検出部４１は、同様に最小信号レベルＭＬ３を表す最小信号レベル信号を生成して、これを同期判定レベル生成部４２へ与える。水平同期パルスの信号レベルは、映像信号内の他の部分の信号レベルに比較して小さいため、最小信号レベルＭＬ１〜ＭＬ３の各々は水平同期パルスの箇所で検出される。
【００２４】
同期判定レベル生成部４２は、レベル検出部４１から受け取った最小信号レベル信号によって表される最小信号レベルＭＬ１に所定の同期検出レベルを加算して同期判定レベルＪＬ１を設定する。続いて同期判定レベル生成部４２は、レベル検出部４１から受け取った最小信号レベル信号によって表される最小信号レベルＭＬ２に所定の同期検出レベルを加算して同期判定レベル信号ＪＬ２を設定する。続いて同期判定レベル生成部４２は、同様に同期判定レベルＪＬ３を設定する。
【００２５】
映像信号遅延部４３は、ローパスフィルタ３０を介してＡＤＣ部２０から同図に示される映像信号を受け取る。映像信号遅延部４３は、受け取った映像信号を映像信号の０．５ライン幅に相当する時間分だけ遅延させて遅延映像信号を生成する。映像信号遅延部４３は、生成した遅延映像信号をレベル判定部４４に与える。
【００２６】
図７はレベル判定部４４における遅延映像信号及び同期判定レベルＪＬ１〜ＪＬ３を表す図である。同期判定レベル生成部４２が同期判定レベルＪＬ１を設定している場合、レベル判定部４４は、映像信号遅延部４３から受け取った遅延映像信号の信号レベルが同期判定レベルＪＬ１を下回っているか否かを判定する。ここでは、遅延映像信号の一部ＳＰ１の信号レベルが同期判定レベルＪＬ１を下回っているため、映像信号内に同期パルスが現出したと判定する。続いて、同期判定レベル生成部４２が同期判定レベルＪＬ２を設定した場合、レベル判定部４４は、映像信号遅延部４３から受け取った遅延映像信号の信号レベルが、同期判定レベルＪＬ２を下回っているか否かを判定する。ここでは、遅延映像信号の一部ＳＰ２の信号レベルが同期判定レベルＪＬ２を下回っているため、映像信号内に同期パルスが現出したと判定する。続いて同期判定レベル生成部４２が同期判定レベルＪＬ３を設定した場合にも、レベル判定部４４は同様に、遅延映像信号の一部ＳＰ３の信号レベルが同期判定レベルＪＬ３を下回っているため、映像信号内に同期パルスが現出したと判定する。
【００２７】
同期パルス生成部４５は、レベル判定部４４が、遅延映像信号の信号レベルが同期判定レベルをＰｉｘｅｌクロック周期で例えば１０回連続して下回ったと判別した場合に、すなわち、Ｐｉｘｅｌクロック周期内に同期パルスが１０回連続して現出したと判定した場合に、同期パルス現出の判定時点に同期した水平同期パルスＳＳを生成、出力する。
【００２８】
上記した如く本実施例による同期パルス検出回路４０は、レベル判定部４４の前段に映像信号を遅延させる映像信号遅延部４３を備えており、水平同期パルスが映像信号内に現出したか否かを判定するための同期判定レベルを、判定すべき水平同期パルスの信号レベルに基づいて設定することができる。そのため、判定すべき複数の水平同期パルスの信号レベルが、局所的に大きさの異なるノイズの影響により不揃いになっていたとしても、同期パルス検出回路４０は映像信号内に含まれる水平同期パルスの現出を常に判別できる。それにより、同期パルス検出回路４０はノイズが混入している映像信号からでも常に安定した水平同期パルスを生成することができる。
＜第２の実施例＞
図８は更新タイミング切り替え部４６を含む同期パルス検出回路４０をクランプ回路１０などと共に表すブロック図である。本実施例による同期パルス検出回路４０は更新タイミング切り替え部４６を更に含む。他のブロックは第１の実施例と同じである。
【００２９】
更新タイミング切り替え部４６は、更新タイミング信号ＳＴ１及びＳＴ２のいずれかを制御信号ＳＣの入力に応じて選択して、当該選択した更新タイミングをレベル検出部４１に供給する。
【００３０】
以下に、図９〜１２を参照しつつ、同期パルス検出回路４０の同期パルス検出処理について説明する。映像信号がローパスフィルタ３０を通過するまでは、第１の実施例と同じ処理がなされる。
【００３１】
図９はローパスフィルタ３０通過後の映像信号を表す図である。縦軸は映像信号の信号レベルを表している。横軸は時刻を表している。同図に示される映像信号は、水平同期パルスの間隔が乱れて一定でなくなった場合の映像信号あり、時刻Ｔ４と時刻Ｔ５との間には水平同期パルスが存在しない。
【００３２】
図１０は第１の更新タイミング信号ＳＴ１を表す図である。時刻Ｔ４、Ｔ５、Ｔ６及びＴ７に定周期の更新タイミングパルスＰ４、Ｐ５、Ｐ６及びＰ７がそれぞれ存在する。図１１は第２の更新タイミング信号ＳＴ２を表す図である。時刻Ｔ４及びＴ６に定周期の更新タイミングパルスＰ８及びＰ９がそれぞれ存在する。両図に示されるように第１及び第２の更新タイミング信号の周期は互いに異なっており、ここでは第２の更新タイミング信号のパルス間隔は、第１の更新タイミング信号のパルス間隔の２倍となっている。
【００３３】
再び図９を参照する。更新タイミング切り替え部４６は、時刻Ｔ４以前に、制御信号ＳＣの入力に応じて更新タイミング信号ＳＴ１を選択している。レベル検出部４１は、ローパスフィルタ３０を介してＡＤＣ部２０から同図に示される映像信号を受け取る。レベル検出部４１は、図示せぬ直前の更新タイミングパルスから更新タイミングパルスＰ４の到来までの間における映像信号の最小信号レベルＭＬ４を検出する。レベル検出部４１は、最小信号レベルＭＬ４を表す最小信号レベル信号を生成して、これを同期判定レベル生成部４２へ与える。
【００３４】
更新タイミング切り替え部４６は、時刻ＴＬにおいて、第１の更新タイミング信号ＳＴ１から第２の更新タイミングＳＴ２へ切り替える旨を表す制御信号ＳＣに応じて、更新タイミング信号ＳＴ２を選択する。更新タイミング切り替え部４６は、レベル検出部４１への第１の更新タイミング信号の供給を中止し、レベル検出部４１への第２の更新タイミング信号の供給を開始する。続いてレベル検出部４１は、更新タイミングパルスＰ４から更新タイミングパルスＰ９の到来までの間における映像信号の最小信号レベルＭＬ５を検出する。レベル検出部４１は、最小信号レベルＭＬ５を表す最小信号レベル信号を生成して、これを同期判定レベル生成部４２へ与える。
【００３５】
同期判定レベル生成部４２は、レベル検出部４１から受け取った最小信号レベル信号によって表される最小信号レベルＭＬ４に所定の同期検出レベルを加算して同期判定レベルＪＬ４を設定する。続いて同期判定レベル生成部４２は、レベル検出部４１から受け取った最小信号レベル信号によって表される最小信号レベルＭＬ５に所定の同期検出レベルを加算して同期判定レベル信号ＪＬ５を設定する。
【００３６】
映像信号遅延部４３は、ローパスフィルタ３０を介してＡＤＣ部２０から同図に示される映像信号を受け取る。映像信号遅延部４３は、受け取った映像信号を映像信号の０．５ライン幅に相当する時間分だけ遅延させて遅延映像信号を生成する。映像信号遅延部４３は、生成した遅延映像信号をレベル判定部４４に与える。
【００３７】
図１２はレベル判定部４４における遅延映像信号及び同期判定レベルＪＬ４及びＪＬ５を表す図である。同期判定レベル生成部４２が同期判定レベルＪＬ４を設定している場合、レベル判定部４４は、映像信号遅延部４３から受け取った遅延映像信号の信号レベルが同期判定レベルＪＬ４を下回っているか否かを判定する。ここでは、遅延映像信号の一部ＳＰ４及びＳＰ５の信号レベルが同期判定レベルＪＬ４を下回っているため、映像信号内に同期パルスが現出したと判定する。続いて、同期判定レベル生成部４２が同期判定レベルＪＬ５を設定した場合、レベル判定部４４は、映像信号遅延部４３から受け取った遅延映像信号の信号レベルが、同期判定レベルＪＬ５を下回っているか否かを判定する。ここでは、遅延映像信号の一部ＳＴ６の信号レベルが同期判定レベルＪＬ５を下回っているため、映像信号内に同期パルスが現出したと判定する。
【００３８】
同期パルス生成部４５は、レベル判定部４４が、遅延映像信号の信号レベルが同期判定レベルをＰｉｘｅｌクロック周期で例えば１０回連続して下回ったと判別した場合に、すなわち、Ｐｉｘｅｌクロック周期内に同期パルスが１０回連続して現出したと判定した場合に、同期パルス現出の判定時点に同期した水平同期パルスＳＳを生成、出力する。
【００３９】
上記した如く本実施例による同期パルス検出回路４０は、制御信号の入力に応じて、更新タイミング信号ＳＴ１及びＳＴ２のいずれかを選択して、当該選択した更新タイミング信号をレベル検出部４１に供給する更新タイミング切り替え部４６を更に含む。これにより、同期パルス検出回路４０は、映像信号に含まれている水平同期パルスの間隔に応じて更新タイミングを柔軟に変更することが可能であり、局所的に大きさの異なるノイズの影響により映像信号に含まれている水平同期パルスの間隔が乱れて一定でなくなっている場合にも、映像信号に含まれる水平同期パルスの現出を常に判別できる。それにより、同期パルス検出回路４０はノイズが混入している映像信号からでも常に安定した水平同期信号を生成することができる。
＜第３の実施例＞
図１３はノイズ判定部４９を含む同期パルス検出回路４０をクランプ回路１０などと共に表すブロック図である。
【００４０】
本実施例による同期パルス検出回路４０はノイズ判定部４９を更に含む。また、同期パルス検出回路４０は第２の実施例におけるローパスフィルタ３０の代わりに、ローパスフィルタ４７及び４７を含む。
【００４１】
ノイズ判定部４９は、レベル判定部４４が水平同期パルスＳＳを生成したタイミングで、映像信号遅延部４３から受け取った映像信号に混入しているノイズ量が所定量を超過したか否かを判定する。ノイズ判定部４９は当該所定量を予め記憶している。ノイズ判定部４９は、判定結果を更新タイミング切り替え部４６に通知する。
【００４２】
更新タイミング切り替え部４６は、更新タイミングＳＴ１及びＳＴ２のいずれかをノイズ判定部４９の判定結果に応じて選択して、当該選択した更新タイミングをレベル検出部４１に供給する。
【００４３】
同期パルス生成部４５は、レベル判定部４４が、遅延映像信号の信号レベルが同期判定レベルをＰｉｘｅｌクロック周期で例えば１０回連続して下回ったと判別した場合に、すなわち、Ｐｉｘｅｌクロック周期内に同期パルスが１０回連続して現出したと判定した場合に、同期パルス現出の判定時点に同期した水平同期パルスＳＳを生成、出力する。このとき、同期パルス生成部４５は、生成した水平同期パルスＳＳをノイズ判定部４９に与えるか、若しくは、水平同期パルスＳＳを生成した旨をノイズ判定部４９に通知する。
【００４４】
以下に、図１４〜１７を参照しつつ、同期パルス検出回路４０の同期パルス検出処理について説明する。映像信号がローパスフィルタ３０の代わりにローパスフィルタ４７を通過するまでは、第１の実施例と同じ処理がなされる。
【００４５】
図１４はローパスフィルタ４７通過後の映像信号を表す図である。縦軸は映像信号の信号レベルを表している。横軸は時刻を表している。同図に示される映像信号は、水平同期パルスの間隔が乱れて一定でなくなった場合の映像信号あり、時刻Ｔ４と時刻Ｔ５との間には水平同期パルスが存在しない。
【００４６】
図１５は第１の更新タイミング信号ＳＴ１を表す図である。時刻Ｔ４、Ｔ５、Ｔ６及びＴ７に定周期の更新タイミングパルスＰ４、Ｐ５、Ｐ６及びＰ７がそれぞれ存在する。図１１は第２の更新タイミング信号ＳＴ２を表す図である。時刻Ｔ４及びＴ６に定周期の更新タイミングパルスＰ８及びＰ９がそれぞれ存在する。両図に示されるように第１及び第２の更新タイミング信号の周期は互いに異なっており、ここでは第２の更新タイミング信号のパルス間隔は、第１の更新タイミング信号のパルス間隔の２倍となっている。
【００４７】
再び図１４を参照する。ここでは更新タイミング切り替え部４６は、時刻Ｔ４以前に、更新タイミング信号ＳＴ１を選択しているものとする。レベル検出部４１は、ローパスフィルタ３０を介してＡＤＣ部２０から同図に示される映像信号を受け取る。レベル検出部４１は、図示せぬ直前の更新タイミングパルスから更新タイミングパルスＰ４の到来までの間における映像信号の最小信号レベルＭＬ４を検出する。レベル検出部４１は、最小信号レベルＭＬ４を表す最小信号レベル信号を生成して、これを同期判定レベル生成部４２へ与える。更新タイミング切り替え部４６は、タイミングＴＮにおいて、ノイズ判定部４９からノイズ量が所定量を超過している旨を表す判定結果の通知を受け取り、これに応じて、更新タイミング信号ＳＴ２を選択する。更新タイミング切り替え部４６は、レベル検出部４１への第１の更新タイミング信号ＳＴ１の供給を中止し、レベル検出部４１への第２の更新タイミング信号ＳＴ２の供給を開始する。続いてレベル検出部４１は、更新タイミングパルスＰ４から更新タイミングパルスＰ９の到来までの間における映像信号の最小信号レベルＭＬ５を検出する。レベル検出部４１は、最小信号レベルＭＬ５を表す最小信号レベル信号を生成して、これを同期判定レベル生成部４２へ与える。
【００４８】
同期判定レベル生成部４２は、レベル検出部４１から受け取った最小信号レベル信号によって表される最小信号レベルＭＬ４に所定の同期検出レベルを加算して同期判定レベルＪＬ４を設定する。続いて同期判定レベル生成部４２は、レベル検出部４１から受け取った最小信号レベル信号によって表される最小信号レベルＭＬ５に所定の同期検出レベルを加算して同期判定レベル信号ＪＬ５を設定する。
【００４９】
映像信号遅延部４３は、ＡＤＣ部２０から受け取った映像信号を映像信号の０．５ライン幅に相当する時間分だけ遅延させて遅延映像信号を生成する。映像信号遅延部４３は、生成した遅延映像信号をローパスフィルタ４８を介してレベル判定部４４に与える。
【００５０】
図１７はレベル判定部４４における遅延映像信号及び同期判定レベルＪＬ４〜ＪＬ５を表す図である。同期判定レベル生成部４２が同期判定レベルＪＬ４を設定している場合、レベル判定部４４は、映像信号遅延部４３から受け取った遅延映像信号の信号レベルが同期判定レベルＪＬ４を下回っているか否かを判定する。ここでは、遅延映像信号の一部ＳＰ４及びＳＰ５の信号レベルが同期判定レベルＪＬ４を下回っているため、映像信号内に同期パルスが現出したと判定する。続いて、同期判定レベル生成部４２が同期判定レベルＪＬ５を設定した場合、レベル判定部４４は、映像信号遅延部４３から受け取った遅延映像信号の信号レベルが、同期判定レベルＪＬ５を下回っているか否かを判定する。ここでは、遅延映像信号の一部ＳＴ６の信号レベルが同期判定レベルＪＬ５を下回っているため、映像信号内に同期パルスが現出したと判定する。
【００５１】
ここで、レベル判定部４４が、遅延映像信号の一部ＳＰ４と同期判定レベルＪＬ４との比較により判定した同期パルス現出が、Ｐｉｘｅｌクロック周期内に同期パルスが連続して現出した１０回目であるとする。このとき、同期パルス生成部４５は、Ｐｉｘｅｌクロック周期内に同期パルスが１０回連続して現出したと判定し、時刻ＴＮにおいて、同期パルス現出の判定時点に同期した水平同期パルスＳＳを生成、出力する。更に、同期パルス生成部４５は、水平同期パルスＳＳを生成した旨をノイズ判定部４９に通知する。
【００５２】
ノイズ判定部４９は、同期パルス生成部４５からの水平同期パルス生成の通知に応じて、映像信号遅延部４３から受け取った遅延映像信号に混入しているノイズ量が所定量を超過したか否かを判定する。ここでは、タイミングＴＮにおけるノイズ量が所定量を超過しているものとする。ノイズ判定部４９は、ノイズ量が所定量を超過している旨を表す判定結果を更新タイミング切り替え部４６に通知する。更新タイミング切り替え部４６は、前述したとおり、ノイズ判定部４９からの判定結果の通知を受け取り、これに応じて、更新タイミング信号ＳＴ２を選択する。
【００５３】
上記した如く本実施例による同期パルス検出回路４０は、レベル判定部４４が水平同期パルスＳＳを生成したタイミングで、映像信号遅延部４３から受け取った遅延映像信号に混入しているノイズ量が所定量を超過したか否かを判定するノイズ判定部４９を更に含み、更新タイミング切り替え部４６は更新タイミング信号ＳＴ１及びＳＴ２の内のいずれかをノイズ判定部４９の判定結果に応じて選択して、当該選択した更新タイミング信号をレベル検出部４１に供給する。これにより、同期パルス検出回路４０は、更新タイミング信号を切り替える為の制御信号を外部から受け入れることなく、映像信号に含まれている水平同期パルスの間隔に応じて更新タイミングを柔軟に変更することが可能である。一般的に水平同期パルスの間隔が乱れるのは、映像信号を搬送する電波の受信状況が良好でないときに混入したノイズの影響によることが多いため、映像信号に混入しているノイズ量を判定して、その結果に基づいて更新タイミングを切り替えることは非常に有効である。そのため、同期パルス検出回路４０は、局所的に大きさの異なるノイズの影響により映像信号に含まれている水平同期パルスの間隔が乱れて一定でなくなっている場合にも、人的な操作無しに映像信号に含まれる水平同期パルスの現出を常に判別できる。それにより、同期パルス検出回路４０はノイズが混入している映像信号からでも常に安定した水平同期信号を生成することができる。
【００５４】
なお、第１〜３の実施例は水平同期パルスを検出する例であるが、本発明は垂直同期パルスの検出に適用した場合にも同様の効果を奏することができる。
【図面の簡単な説明】
【００５５】
【図１】本発明による同期パルス検出回路をクランプ回路などと共に表すブロック図である。
【図２】映像信号を表す図である。
【図３】更新タイミング信号を表す図である。
【図４】ノイズが混入した映像信号を表す図である。
【図５】クランプ処理後の映像信号を表す図である。
【図６】ローパスフィルタ通過後の映像信号を表す図である。
【図７】レベル判定部における遅延映像信号及び同期判定レベルを表す図である。
【図８】更新タイミング切り替え部を含む同期パルス検出回路をクランプ回路などと共に表すブロック図である。
【図９】ローパスフィルタ通過後の映像信号を表す図である。
【図１０】第１の更新タイミング信号を表す図である。
【図１１】第２の更新タイミング信号を表す図である。
【図１２】レベル判定部における遅延映像信号及び同期判定レベルを表す図である。
【図１３】ノイズ判定部を含む同期パルス検出回路をクランプ回路などと共に表すブロック図である。
【図１４】ローパスフィルタ通過後の映像信号を表す図である。
【図１５】第１の更新タイミング信号を表す図である。
【図１６】第２の更新タイミング信号を表す図である。
【図１７】レベル判定部における遅延映像信号及び同期判定レベルを表す図である。
【符号の説明】
【００５６】
１０  クランプ回路
２０  ＡＤＣ部
３０  ローパスフィルタ
４０  同期パルス検出回路
４１  レベル検出部
４２  同期判定レベル生成部
４３  映像信号遅延部
４４  レベル判定部
４５  同期パルス生成部
４６  更新タイミング切り替え部
４７、４８  ローパスフィルタ
４９  ノイズ判定部
【図１】
2008312019.tif 000003
【図２】
2008312019.tif 000004
【図３】
2008312019.tif 000005
【図４】
2008312019.tif 000006
【図５】
2008312019.tif 000007
【図６】
2008312019.tif 000008
【図７】
2008312019.tif 000009
【図８】
2008312019.tif 000010
【図９】
2008312019.tif 000011
【図１０】
2008312019.tif 000012
【図１１】
2008312019.tif 000013
【図１２】
2008312019.tif 000014
【図１３】
2008312019.tif 000015
【図１４】
2008312019.tif 000016
【図１５】
2008312019.tif 000017
【図１６】
2008312019.tif 000018
【図１７】
2008312019.tif 000019